(57)【特許請求の範囲】
【請求項１】
移動通信網を利用して無線インターネットカバレッジを拡張するシステムにおいて、
無線アクセスポイント（Ａｃｃｅｓｓ  Ｐｏｉｎｔ）と、
前記無線アクセスポイントと連結され、前記無線アクセスポイントの無線インターネット信号帯域と前記移動通信網の移動通信信号帯域とをアイソレーション（ｉｓｏｌａｔｉｏｎ）させるフィルタを含み、前記フィルタによってフィルタリングされた無線インターネット信号または移動通信信号を出力するコンバイナ（ｃｏｍｂｉｎｅｒ）と、
前記コンバイナ及び少なくとも一つのアンテナと連結され、前記フィルタリングされた無線インターネット信号を前記コンバイナから受信して前記アンテナを通じて出力する分配器（ｄｉｓｔｒｉｂｕｔｏｒ）と、を含み、
前記分配器は、前記アンテナを通じてウェブサーバからの無線インターネット信号を受信して前記コンバイナに転送し、前記コンバイナは、フィルタリングされた無線インターネット信号を前記無線アクセスポイントに転送し、前記無線アクセスポイントは前記フィルタリングされた無線インターネット信号を移動通信端末に送ることにより、前記無線アクセスポイントのサービス範囲を前記移動通信網を用いて拡張することである、
無線インターネットカバレッジの拡張システム。
【請求項２】
移動通信網を利用して無線インターネットカバレッジを拡張するシステムにおいて、
少なくとも一つのアンテナと連結され、前記アンテナを通じて移動通信信号または無線インターネット信号を受信する分配器と、
前記分配器から前記移動通信信号または前記無線インターネット信号を受信し、前記移動通信信号の信号帯域と前記無線インターネット信号の信号帯域とをアイソレーション（ｉｓｏｌａｔｉｏｎ）させるフィルタを含み、前記フィルタによってフィルタリングされた前記移動通信信号または前記無線インターネット信号を出力するコンバイナ（ｃｏｍｂｉｎｅｒ）と、
前記コンバイナと連結され、前記コンバイナから出力された前記無線インターネット信号を受信して転送する無線アクセスポイント（Ａｃｃｅｓｓ  Ｐｏｉｎｔ）と、を含み、
前記分配器は、前記アンテナを通じてウェブサーバからの無線インターネット信号を受信して前記コンバイナに転送し、前記コンバイナは、フィルタリングされた無線インターネット信号を前記無線アクセスポイントに転送し、前記無線アクセスポイントは前記フィルタリングされた無線インターネット信号を移動通信端末に転送することにより、前記無線アクセスポイントのサービス範囲を前記移動通信網を用いて拡張することである、
を含む無線インターネットカバレッジの拡張システム。
【請求項３】
前記コンバイナは、前記無線インターネット信号の信号帯域をフィルタリングするための第１バンドパスフィルタ（Ｂａｎｄ  Ｐａｓｓ  Ｆｉｌｔｅｒ；ＢＰＦ）と、前記移動通信信号の信号帯域をフィルタリングするための第２バンドパスフィルタと、を含む請求項１または２に記載の無線インターネットカバレッジの拡張システム。
【請求項４】
前記コンバイナは、前記無線インターネット信号の信号帯域をフィルタリングするためのバンドパスフィルタ（Ｂａｎｄ  Ｐａｓｓ  Ｆｉｌｔｅｒ；ＢＰＦ）と、前記移動通信信号の信号帯域をフィルタリングするためのローパスフィルタ（Ｌｏｗ  Ｐａｓｓ  Ｆｉｌｔｅｒ；ＬＰＦ）と、を含む請求項１または２に記載の無線インターネットカバレッジの拡張システム。
【請求項５】
前記コンバイナは、前記無線インターネット信号の信号帯域をフィルタリングするためのハイパスフィルタ（Ｈｉｇｈ  Ｐａｓｓ  Ｆｉｌｔｅｒ；ＨＰＦ）と、前記移動通信信号の信号帯域をフィルタリングするためのローパスフィルタ（Ｌｏｗ  Ｐａｓｓ  Ｆｉｌｔｅｒ；ＬＰＦ）と、を含む請求項１または２に記載の無線インターネットカバレッジの拡張システム。
【請求項６】
前記無線インターネット信号の信号帯域と前記移動通信信号の信号帯域とに対するアイソレーション（ｉｓｏｌａｔｉｏｎ）は、前記無線インターネット信号の信号帯域と前記移動通信信号を転送する中継器の出力に基づいて定められ、３０ｄＢ以上である請求項１または２に記載の無線インターネットカバレッジの拡張システム。
【請求項７】
前記コンバイナ及び前記無線アクセスポイントは、前記無線アクセスポイントの出力の強さによってその設置位置が定められる請求項１または２に記載の無線インターネットカバレッジの拡張システム。
【発明の詳細な説明】
【技術分野】
【０００１】
本発明は、無線インターネットカバレッジを拡張するシステムに関し、さらに詳しくは、移動通信網を利用して無線インターネットカバレッジを拡張するシステムに関する。
【背景技術】
【０００２】
高性能ＣＰＵを具備したスマートフォンを通じて多様なサービスが使用者に提供されており、このようなスマートフォンの使用者の割合は次第に増加している。このように、スマートフォンを通じて多様なサービスを提供するために無線インターネットサービスが活用されている。
【０００３】
無線インターネットサービスのために、移動通信サービス提供者は、多数の無線アクセスポイント（Ａｃｃｅｓｓ  Ｐｏｉｎｔ、ＡＰ）を多様な場所に設置する。特に、建物の内部のように無線インターネットの信号が弱い所には、多くの無線ＡＰが設置されて運用されている。
【０００４】
このような無線ＡＰは、一般的に建物内に位置して無線インターネットの品質を向上させるが、無線ＡＰを設置するためには、多くの費用及び時間が要求される。
【０００５】
従って、既存に設置されている施設を利用して、少ない費用及び時間で無線ＡＰのカバレッジを拡大することができる方法が要求されている。
【発明の概要】
【発明が解決しようとする課題】
【０００６】
上述した従来技術の問題点を解決するために、本発明は、既存の施設を利用して無線アクセスポイントのサービスカバレッジを拡張することができるシステムを提供する。
【０００７】
本発明の目的は、以上で言及した目的に限らず、言及されなかったまた他の目的は、下記の記載から明確に理解できるであろう。
【課題を解決するための手段】
【０００８】
前記目的を達成するために、本発明の一側面による移動通信網を利用して無線インターネットカバレッジを拡張するシステムは、無線アクセスポイント（Ａｃｃｅｓｓ  Ｐｏｉｎｔ）と、前記無線アクセスポイントと連結され、前記無線アクセスポイントの無線インターネット信号帯域と前記移動通信網の移動通信信号帯域とをアイソレーション（ｉｓｏｌａｔｉｏｎ）させるフィルタを含み、前記フィルタによってフィルタリングされた無線インターネット信号または移動通信信号を出力するコンバイナ（ｃｏｍｂｉｎｅｒ）と、前記コンバイナ及び少なくとも一つのアンテナと連結され、前記フィルタリングされた無線インターネット信号を前記コンバイナから受信して前記アンテナを通じて出力する分配器（ｄｉｓｔｒｉｂｕｔｏｒ）とを含む。
【０００９】
前記目的を達成するために、本発明の他の側面による移動通信網を利用して無線インターネットカバレッジを拡張するシステムは、少なくとも一つのアンテナと連結され、前記アンテナを通じて移動通信信号または無線インターネット信号を受信する分配器と、前記分配器から前記移動通信信号または前記無線インターネット信号を受信し、前記移動通信信号の信号帯域と前記無線インターネット信号の信号帯域とをアイソレーション（ｉｓｏｌａｔｉｏｎ）させるフィルタを含み、前記フィルタによってフィルタリングされた前記移動通信信号または前記無線インターネット信号を出力するコンバイナ（ｃｏｍｂｉｎｅｒ）と、前記コンバイナと連結され、前記コンバイナから出力された前記無線インターネット信号を受信して転送する無線アクセスポイント（Ａｃｃｅｓｓ  Ｐｏｉｎｔ）とを含む。
【００１０】
前記目的を達成するための具体的な事項は、添付した図面と共に詳しく後述された実施例を参照すれば明確になるであろう。
【００１１】
しかし、本発明は、以下で開示される実施例に限らず、互いに異なる多様な形態で構成されてもよく、本実施例は、本発明の開示を完全にし、本発明が属する技術分野で通常の知識を持った者に発明の範疇を完全に知らせるために提供される。
【発明の効果】
【００１２】
前述した本発明の課題解決手段のいずれか一つによると、既存の施設を利用するので、無線アクセスポイントの設置のための時間と費用を節約することができる。
【図面の簡単な説明】
【００１３】
【図１】本発明の一実施例による移動通信網を利用した無線インターネットカバレッジの拡張システムの構成を示した図面である。
【図２】本発明の一実施例による移動通信網を利用した無線インターネットカバレッジの拡張過程を示したフローチャートである。
【図３】本発明の他の実施例による移動通信網を利用した無線インターネットカバレッジの拡張過程を示したフローチャートである。
【図４ａ】従来の無線インターネットサービスの提供方式と本発明の一実施例による移動通信網を利用した無線インターネットサービスの提供方式とを示した図面である。
【図４ｂ】従来の無線インターネットサービスの提供方式と本発明の一実施例による移動通信網を利用した無線インターネットサービスの提供方式とを示した図面である。
【発明を実施するための形態】
【００１４】
以下では、添付した図面を参照して、本発明が属する技術分野で通常の知識を持った者が容易に実施することができるように本発明の実施例を詳しく説明する。
【００１５】
しかし、本発明は、様々な異なる形態で具現されることができ、ここで説明する実施例に限らない。
【００１６】
そして、図面で本発明を明確に説明するために、説明と関係ない部分は省略し、明細書全体を通じて類似した部分に対しては、類似した図面符号を付けた。
【００１７】
参考として、明細書全体において、ある部分が他の部分と「連結」されているとすると、これは、「直接的に連結」されている場合だけでなく、その中間に他の素子を挟んで「電気的に連結」されている場合も含む。
【００１８】
また、ある部分がある構成要素を「含む」とすると、これは、特別に反対する記載がない限り、他の構成要素を除外するのではなく、他の構成要素をさらに含むことができることを意味する。
【００１９】
以下、添付した構成図または処理フローチャートを参考して、本発明の実施のための具体的な内容を説明する。
【００２０】
図１は、本発明の一実施例による移動通信網を利用した無線インターネットカバレッジの拡張システムの構成を示した図面である。
【００２１】
本発明の一実施例による移動通信網を利用した無線インターネットカバレッジの拡張システムは、無線アクセスポイント（Ａｃｃｅｓｓ  Ｐｏｉｎｔ、以下、「ＡＰ」と称する）１１０、コンバイナ（ｃｏｍｂｉｎｅｒ）１２０、中継器（ｒｅｐｅａｔｅｒ）１３０、及び分配器１４０；１４１〜１４３を含む。
【００２２】
各構成要素を説明すると、無線ＡＰ１１０は、コンバイナ１２０に連結され、コンバイナ１２０を通じて無線インターネット信号を送信または受信する。
【００２３】
無線ＡＰ１１０は、移動通信端末機が当該無線ＡＰ１１０に接続してインターネット網を利用可能にし、移動通信端末機と外部の使用者端末機との間のインターネット網を通じた着信・発信通話を可能にする。
【００２４】
また、無線ＡＰ１１０は、移動通信端末機が特定ウェブサーバ（図示せず）から提供するデータ（パッケージ）を受信可能にする。
【００２５】
このため、無線ＡＰ１１０は、移動通信端末機から、新しいＩＰアドレスの設定のためのＤＨＣＰ（Ｄｙｎａｍｉｃ  Ｈｏｓｔ  Ｃｏｎｆｉｇｕｒａｔｉｏｎ  Ｐｒｏｔｏｃｏｌ）の通信要請を受信する。
【００２６】
この時、無線ＡＰ１１０は、移動通信端末機からＭＡＣアドレス、国際移動端末機の識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、以下、ＩＭＥＩと称する）、国際移動局の識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、以下、ＩＭＳＩと称する）、または移動局の識別番号（Ｍｏｂｉｌｅ  Ｉｄｅｎｔｉｆｉｃａｔｉｏｎ  Ｎｕｍｂｅｒ、以下、ＭＩＮと称する）などのような識別情報を受信する。
【００２７】
また、無線ＡＰ１１０は、移動通信端末機の新しいＩＰアドレスの割り当てのために、前記の移動通信端末機の識別情報及び自身１１０のＩＰアドレスを含むＤＨＣＰメッセージを生成してＤＨＣＰサーバ（図示せず）に転送する。無線ＡＰ１１０は、ＤＨＣＰサーバ（図示せず）から移動通信端末機に割り当てられた新しいＩＰアドレスを受信する。無線ＡＰ１１０は、Ｗｉ−Ｆｉ方式の無線ＡＰであってもよく、以下では、無線ＡＰ１１０の実施例として、Ｗｉ−Ｆｉ方式の無線ＡＰ１１０を使用する。
【００２８】
参考として、移動通信端末機は、有無線統合（Ｆｉｘｅｄ  Ｍｏｂｉｌｅ  Ｃｏｎｖｅｒｇｅｎｃｅ）端末機を含み、移動通信端末機は、無線インターネットが提供される無線ＡＰ１１０のサービス範囲内では、無線ＡＰ１１０に接続して、無線インターネットサービスとインターネット電話（ＶｏＩＰ）サービスとを使用者に提供する。
【００２９】
また、移動通信端末機は、無線ＡＰ１１０のサービス範囲から外れてからは、移動通信網を利用して無線データ通信サービスと通話サービスとを使用者に提供し、移動通信端末機は、Ｗｉ−Ｆｉ方式だけでなく、ＷＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）の通信方式を共に支援するハンドヘルド（Ｈａｎｄｈｅｌｄ）基盤の無線通信装置を含む。
【００３０】
コンバイナ１２０は、無線ＡＰ１１０の出力端と連結され、無線ＡＰ１１０から無線インターネット信号を受信する。コンバイナ１２０は、中継器１３０と連結された第１分配器１４１の出力端と連結され、当該分配器１４１から移動通信網の信号を受信する。勿論、コンバイナ１２０が前記の中継器１３０の出力端と直接連結され、中継器１３０から移動通信網の信号を受信してもよい。
【００３１】
また、コンバイナ１２０は、第２分配器の１４２の入力端と連結され、無線インターネット信号または移動通信網の信号を第２分配器１４２に転送する。コンバイナ１２０は、アンテナと連結された第３分配器１４３の出力端と連結され、当該分配器１４３から移動通信網の信号または無線インターネット信号を受信する。
【００３２】
以後、コンバイナ１２０は、移動通信網の信号は中継器１３０に、無線インターネット信号は無線ＡＰ１１０にそれぞれ転送する。この場合、コンバイナ１２０は、無線インターネット信号または移動通信網の信号を受信して、無線インターネット信号の信号帯域と移動通信網の信号帯域とをアイソレーション（ｉｓｏｌａｔｉｏｎ）させる。
【００３３】
このため、コンバイナ１２０は、無線インターネット信号の信号帯域と移動通信網信号の信号帯域とをフィルタリングする多様なフィルタを含む。
【００３４】
ここで、「フィルタ」は、バンドパスフィルタ（Ｂａｎｄ  Ｐａｓｓ  Ｆｉｌｔｅｒ；ＢＰＦ）、ローパスフィルタ（Ｌｏｗ  Ｐａｓｓ  Ｆｉｌｔｅｒ；ＬＰＦ）及びハイパスフィルタ（Ｈｉｇｈ  Ｐａｓｓ  Ｆｉｌｔｅｒ；ＨＰＦ）のいずれか一つ以上を含む。
【００３５】
さらに詳しく説明すると、コンバイナ１２０は、予め定められた特定周波数の帯域のみを通過させるバンドパスフィルタを含む。
【００３６】
例えば、１．８ＧＨｚ〜２．１ＧＨｚ帯域を使用する移動通信網信号と、２．４ＧＨｚ帯域を使用する無線インターネット信号の場合、コンバイナ１２０は、１．８ＧＨｚ〜２．１ＧＨｚのバンドパスフィルタ及び２．４ＧＨｚのバンドパスフィルタを含み、１．８ＧＨｚ〜２．１ＧＨｚ帯域の移動通信網信号と２．４ＧＨｚ帯域の無線インターネット信号のみを通過させる。
【００３７】
また、コンバイナ１２０は、予め定められた特定周波数以下の帯域のみを通過させるローパスフィルタと前記のバンドパスフィルタとを含む。
【００３８】
前記の例を再利用して説明すると、コンバイナ１２０は、２．１ＧＨｚ以下の帯域のみを通過させるローパスフィルタを利用して２．１ＧＨｚ以下、即ち、１．８ＧＨｚ〜２．１ＧＨｚ帯域の移動通信網信号を通過させ、２．４ＧＨｚのバンドパスフィルタを利用して２．４ＧＨｚ帯域の無線インターネット信号のみを通過させる。
【００３９】
勿論、前記のローパスフィルタが２．１ＧＨｚ以下の帯域のみを通過させるので、９００ＭＨｚを使用する移動通信網信号もローパスフィルタを通じて通過される。
【００４０】
また、コンバイナ１２０は、予め定められた特定周波数以上の帯域のみを通過させるハイパスフィルタと前記バンドパスフィルタとを含む。
【００４１】
前記の例を再利用して説明すると、コンバイナ１２０は、１．８ＧＨｚ〜２．１ＧＨｚ帯域のみを通過させるバンドパスフィルタ及び２．４ＧＨｚ以上の帯域のみを通過させるハイパスフィルタを含み、１．８ＧＨｚ〜２．１ＧＨｚ帯域の移動通信網信号と２．４ＧＨｚ帯域の無線インターネット信号のみを通過させる。
【００４２】
また、コンバイナ１２０は、前記のローパスフィルタとハイパスフィルタとを含む。
【００４３】
前記の例を再利用して説明すると、コンバイナ１２０は、２．１ＧＨｚ以下の帯域のみを通過させるローパスフィルタ及び２．４ＧＨｚ以上の帯域のみを通過させるハイパスフィルタを含み、２．１ＧＨｚ帯域以下の移動通信網信号と２．４ＧＨｚ帯域の無線インターネット信号のみを通過させる。
【００４４】
即ち、コンバイナ１２０は、二つのバンドパスフィルタを含んでもよく、一つのバンドパスフィルタと一つのローパスフィルタまたは一つのハイパスフィルタとを含んでもよく、一つのローパスフィルタと一つのハイパスフィルタとを含んでもよい。
【００４５】
また、コンバイナ１２０は、前記のフィルタを使用して無線インターネット信号と移動通信網信号とをアイソレーション（ｉｓｏｌａｔｉｏｎ）させることで相互干渉を減らすことができる。
【００４６】
この時、相互干渉を減らすためのアイソレーションは、コンバイナ１２０が挿入される地点における移動通信網信号の出力によって、即ち、無線インターネット信号の信号帯域と移動通信網信号を転送する中継器１３０の出力によって、異なる場合もある。
【００４７】
例えば、中継器の出力値が１０ｄＢｍであり、２．４ＧＨｚ帯域の無線インターネットと２．１ＧＨｚ帯域のＷＣＤＭＡ及び１．８ＧＨｚ帯域のＣＤＭＡをアイソレーションさせる場合、コンバイナ１２０で、好ましくは無線インターネット信号と移動通信網信号との相互干渉を効果的に減少させながら、それぞれの信号を転送する。
【００４８】
参考として、アイソレーションが高いほど無線インターネット信号と移動通信網信号との相互干渉がさらに効果的に減少されることができるが、アイソレーションが高いほどコンバイナ１２０の大きさが大きくなりコンバイナ１２０の価格が上昇し、逆に、アイソレーションが低過ぎれば無線インターネット信号と移動通信網信号との相互干渉が効果的に減少されることができず、通話品質に影響を与えることがある。
【００４９】
本発明の実施例による無線インターネット信号と移動通信網信号との相互干渉を減少させることができるアイソレーションは、「３０ｄＢ以上」であってもよく、好ましくは「８０ｄＢ以上」である。
【００５０】
一方、中継器１３０は、移動通信網信号を増幅し、増幅した移動通信網信号が分配器１４０及び分配器１４０と連結されたアンテナを通じて出力されるようにする。
【００５１】
この時、中継器１３０から分配器１４０に転送された移動通信網信号は、分配器１４０の出力端と連結されたコンバイナ１２０でバンドパスフィルタまたはローパスフィルタ（Ｌｏｗ  Ｐａｓｓ  Ｆｉｌｔｅｒ；ＬＰＦ）によってフィルタリングされた後、分配器１４０と連結されたアンテナを通じて出力される。
【００５２】
一方、分配器１４０は、少なくとも一つのアンテナと連結され、無線インターネットの信号または移動通信網の信号をアンテナを通じて出力する。
【００５３】
また、分配器１４０は、アンテナを通じて受信された無線インターネット信号または移動通信網の信号をコンバイナ１２０に転送する。
【００５４】
このため、分配器１４１は、中継器１３０の出力端と複数のコンバイナ１２０の入力端と連結され、中継器１３０で増幅した移動通信網の信号を各コンバイナ１２０に転送する。
【００５５】
また、分配器１４２は、各コンバイナ１２０の出力端と連結され、コンバイナ１２０でフィルタリングされた移動通信網信号または無線インターネット信号を一つ以上のアンテナを通じて出力するか、他の分配器に転送する。
【００５６】
また、分配器１４３は、各コンバイナ１２０の入力端と連結され、アンテナを通じて受信された無線インターネット信号をコンバイナ１２０に転送する。
【００５７】
また、分配器１４３は、アンテナを通じて受信された移動通信網信号を中継器１３０や中継器１３０と連結された分配器１４１に転送する。
【００５８】
従って、無線ＡＰ１１０の無線インターネット信号が既存に存在する移動通信網の設備、即ち、中継器に連結された分配器と、分配器に連結されたアンテナを通じて転送されるので、少ない費用でも無線ＡＰ１１０のサービス範囲が移動通信網の範囲まで拡張されることができる。
【００５９】
例えば、建物の地下２つの階をサービスする場合、従来は一般的に４個の無線ＡＰ１１０が必要であった。しかし、本発明の実施例を適用する場合、地下２つの階をカバーする既存の移動通信網の設備、例えば、中継器、中継器と連結された分配器、及び分配器と連結されて各階ごとに設置された多数のアンテナにコンバイナ１２０及びコンバイナ１２０と連結される１個の無線ＡＰ１１０を設置して、４個の無線ＡＰ１１０を設置する従来の方式と同一の効果が得られる。
【００６０】
図２は、本発明の一実施例による移動通信網を利用した無線インターネットカバレッジの拡張過程を示したフローチャートである。
【００６１】
以下、図１のシステム構成要素を参照して、図２に示したフローチャートを説明する。
【００６２】
参考として、移動通信端末機は、無線ＡＰ１１０に接続して無線インターネットを利用するために、新しいＩＰアドレスの設定のためのＤＨＣＰ（Ｄｙｎａｍｉｃ  Ｈｏｓｔ  Ｃｏｎｆｉｇｕｒａｔｉｏｎ  Ｐｒｏｔｏｃｏｌ）通信を要請する。
【００６３】
また、無線ＡＰ１１０は、移動通信端末機からＭＡＣアドレス、ＩＭＥＩ、ＩＭＳＩまたはＭＩＮなどのような識別情報を受信する。
【００６４】
以後、無線ＡＰ１１０は、移動通信端末機の新しいＩＰアドレスの割り当てのために、前記の移動通信端末機の識別情報及び自身１１０のＩＰアドレスを含むＤＨＣＰメッセージを生成してＤＨＣＰサーバ（図示せず）に転送する。
【００６５】
以後、無線ＡＰ１１０がＨＣＰサーバ（図示せず）から移動通信端末機に割り当てられた新しいＩＰアドレスを受信することで、ＦＭＣ端末機は、無線ＡＰ１１０を通じて無線インターネットを利用することができる。
【００６６】
また、コンバイナ１２０は、１．８ＧＨｚ〜２．１ＧＨｚ帯域を使用する移動通信網信号のみを通過させる第１バンドパスフィルタと、２．４ＧＨｚ帯域を使用する無線インターネット信号のみを通過させる第２バンドパスフィルタとを含む。
【００６７】
この時、第１バンドパスフィルタと第２バンドパスフィルタとのアイソレーションは、略「３０ｄＢ以上」であり、好ましくは、略８０ｄＢ以上である。
【００６８】
先ず、コンバイナ１２０は、無線ＡＰ１１０から無線インターネット信号を受信する（Ｓ２０１）。
【００６９】
ステップＳ２０１後、コンバイナ１２０は、前記の第２バンドパスフィルタを通じて、ステップＳ２０１で受信した無線インターネット信号のみを通過させる（Ｓ２０２）。
【００７０】
この時、２．４ＧＨｚ帯域ではない他の信号（例えば、移動通信網信号）は、第２バンドパスフィルタによって通過されることができない。
【００７１】
また、第１バンドパスフィルタと第２バンドパスフィルタとのアイソレーションは、略「３０ｄＢ以上」であり、好ましくは、略８０ｄＢ以上であるので、移動通信網信号との相互干渉を効果的に減少させることができる。
【００７２】
ステップＳ２０２後、コンバイナ１２０は、第２バンドパスフィルタを通じて無線ＡＰ１１０の無線インターネット信号を通過させる。
【００７３】
また、コンバイナ１２０は、通過された無線ＡＰ１１０の無線インターネット信号を分配器１４０に転送する（Ｓ２０３）。
【００７４】
ステップＳ２０３後、分配器１４０は、コンバイナ１２０から受信された無線ＡＰ１１０の無線インターネット信号を多数のアンテナを通じて出力する（Ｓ２０４）。
【００７５】
図３は、本発明の他の実施例による移動通信網を利用した無線インターネットカバレッジの拡張過程を示したフローチャートである。
【００７６】
以下、図１のシステム構成要素を参照して、図３に示したフローチャートを説明する。
【００７７】
参考として、図３に示したフローチャートは、移動通信端末機が図１に示したシステムの無線ＡＰ１１０を通じて特定ウェブサーバ（図示せず）からデータを受信する場合である。
【００７８】
また、コンバイナ１２０は、１．８ＧＨｚ〜２．１ＧＨｚ帯域を使用する移動通信網信号のみを通過させる第１バンドパスフィルタと、２．４ＧＨｚ帯域を使用する無線インターネット信号のみを通過させる第２バンドパスフィルタとを含む。
【００７９】
先ず、分配器１４０は、アンテナを通じて、ウェブサーバ（図示せず）から無線インターネット信号（データパケット）を受信してコンバイナ１２０に転送する（Ｓ３０１）。
【００８０】
ステップＳ３０１後、コンバイナ１２０は、分配器１４０から受信した無線インターネット信号を第２バンドパスフィルタを通じてフィルタリングする（Ｓ３０２）。
【００８１】
この時、２．４ＧＨｚ帯域ではない他の信号（例えば、移動通信網信号）は、第２バンドパスフィルタによって通過されることができない。
【００８２】
また、第１バンドパスフィルタと第２バンドパスフィルタとのアイソレーションが略「３０ｄＢ以上」であり、好ましくは、略８０ｄＢ以上であるので、移動通信網信号との相互干渉を効果的に減少させることができる。
【００８３】
ステップＳ３０２後、コンバイナ１２０は、第２バンドパスフィルタを通じて無線インターネット信号を通過させる。
【００８４】
また、コンバイナ１２０は、通過された無線インターネット信号を無線ＡＰ１１０に転送する（Ｓ３０３）。
【００８５】
ステップＳ３０３後、無線ＡＰ１１０は、ステップＳ３０３で受信された無線インターネット信号を移動通信端末機に転送する（Ｓ３０４）。
【００８６】
図４ａ及び図４ｂは、従来の無線インターネットサービスの提供方式と本発明の一実施例による移動通信網を利用した無線インターネットサービスの提供方式とを比較して示した図面である。
【００８７】
従来の無線インターネット提供方式は、２Ｇ／３Ｇ移動通信網とは別途に、各建物の特定位置に無線ＡＰを設置して無線インターネットサービスを提供した。
【００８８】
しかし、図４ａに示すように、全５台の無線ＡＰを設置したにもかかわらず、無線インターネットサービスを提供することができない陰影地域が発生し、このような陰影地域を除去するために無線ＡＰをさらに設置するので、これによる費用が発生する。
【００８９】
一方、本発明の移動通信網を利用して無線ＡＰのサービス範囲を拡張するシステムの場合、図４ｂに示すように、既存の２Ｇ／３Ｇ移動通信網に２台のコンバイナ１２０を挿入（設置）し、既存の２Ｇ／３Ｇ移動通信網アンテナを通じて無線インターネット信号を転送する。
【００９０】
従って、本発明の移動通信網を利用して無線ＡＰのサービス範囲を拡張するシステムは、従来の無線インターネットサービス時に発生した陰影地域に対する問題を解消することができる。
【００９１】
また、無線インターネット信号の出力が弱く、即ち、無線ＡＰの出力が弱くて無線インターネットの使用が円滑ではない地域４１０が発生する場合、当該地域の２Ｇ／３Ｇ移動通信網に本発明のコンバイナ１２０を挿入または設置して、当該問題を簡単に解決することができる。
【００９２】
前述した本発明の説明は、例示のためであり、本発明が属する技術分野の通常の知識を持った者は、本発明の技術的思想や必須な特徴を変更せずとも他の具体的な形態に容易に変形が可能であるということが理解できるであろう。
【００９３】
従って、以上で記述した実施例は、全ての面で例示的であり、限定的ではないと理解しなければならない。
【００９４】
例えば、単一型に説明されている各構成要素は、分散して実施されてもよく、同様に分散したもので説明されている構成要素も、結合された形態で実施されてもよい。
【００９５】
本発明の範囲は、前記詳細な説明より後述する特許請求の範囲によって表れ、特許請求の範囲の意味及び範囲、そしてその均等概念から導出される全ての変更または変形された形態が本発明の範囲に含まれると解釈されなければならない。
【図１】
0005889881.tif 000002
【図２】
0005889881.tif 000003
【図３】
0005889881.tif 000004
【図４ａ】
0005889881.tif 000005
【図４ｂ】
0005889881.tif 000006